(57)【要約】【課題】発光部品の二ピンを筐体とヒューズ部品の間にしっかりと挟持し、且つ二ピンとヒューズ部品の接触面積を増やし、良好な導電効果を達成して、良品率を高める発光機能によって電力遮断を表示するヒューズ構造を提供する。      【解決手段】発光機能によって電力遮断を表示するヒューズ構造は、筐体、ヒューズ部品、及びピンを備えた発光部品を含む。筐体は最上板、最上板の下方の納置空間、最上板の二開孔を備える。ヒューズ部品は二導電片、及びヒューズ可溶体を含み、且つ各導電片上端には導電接続部をそれぞれ設置し、各導電接続部は二開孔内にそれぞれ挿入する。最上板の下方には更に二押圧部を設置し、二押圧部は二導電接続部と相互に交錯し、各押圧部外縁と相対する各導電接続部の内縁間で間隔を形成し、且つ発光部品のピンはその間隔内で挟持する。【選択図】図５
0003164184.tif 000002
【実用新案登録請求の範囲】
【請求項１】
最上板を備え、及び該最上板の下方に納置空間を形成し、該最上板には該納置空間に通じる二開孔を設置する筐体と、
該納置空間内に設置し、二導電片、及び該二導電片の間に連接するヒューズ可溶体を含み、且つ各該導電片上端には導電接続部をそれぞれ設置し、各該導電接続部上には凹んだ二股口を形成し、各該導電接続部は二股形状で二個の二股角を備え、各該導電接続部の二股角は該二開孔内にそれぞれ挿入するヒューズ部品と、
正、負極の二ピンを備える発光部品を含む発光機能によって電力遮断を表示するヒューズ構造において、
そのうち，該最上板の下方には更に該納置空間内まで伸びる二押圧部を凸設し、該二押圧部は該二導電接続部と互いに交錯して各該押圧部外縁と相対する各該導電接続部内内縁の間で間隔を形成し、且つ該発光部品のピンは該間隔内で挟持することを特徴とする発光機能によって電力遮断を表示するヒューズ構造。
【請求項２】
前記筐体は、透光材質であることを特徴とする請求項１記載の発光機能によって電力遮断を表示するヒューズ構造。
【請求項３】
前記筐体は、最上板の中間の該発光部品に相対する箇所だけ透光材とすることを特徴とする請求項１記載の発光機能によって電力遮断を表示するヒューズ構造。
【請求項４】
前記筐体は、更に二個の間隔に相対して該最上板の下方から伸びる二側面板を含み、且つその納置空間は該二側面板の間に形成することを特徴とする請求項１記載の発光機能によって電力遮断を表示するヒューズ構造。
【請求項５】
前記ヒューズ部品の二導電片は、複数の定位孔を設置し、該二側面板の相対箇所には外表面位置に凹部を成形し、またその内表面には各該定位孔が伸びた凸部を成形することを特徴とする請求項４記載の発光機能によって電力遮断を表示するヒューズ構造。
【請求項６】
前記筐体の該最上板の二側箇所は、下向きに第一対応部を設置し、また該ヒューズ部品の相対箇所には第二対応部を凹設し、それら第一、二対応部は相互に対応することを特徴とする請求項１記載の発光機能によって電力遮断を表示するヒューズ構造。
【請求項７】
前記ヒューズ部品の二導電接続部の二股角は、最大幅が該二開孔の幅より大きいことを特徴とする請求項１記載の発光機能によって電力遮断を表示するヒューズ構造。
【請求項８】
前記ヒューズ部品の二導電接続部と該発光部品の二ピンが隣り合う二股角の外縁箇所には、それぞれ凹んだ欠切口を成形することを特徴とする請求項１記載の発光機能によって電力遮断を表示するヒューズ構造。
【請求項９】
前記発光部品は、発光ダイオードであることを特徴とする請求項１記載の発光機能によって電力遮断を表示するヒューズ構造。
【請求項１０】
前記発光部品の二ピンは、該導電接続部内内縁と該押圧部外縁に合わせて「L」字型に変形することを特徴とする請求項１記載の発光機能によって電力遮断を表示するヒューズ構造。
【考案の詳細な説明】
【技術分野】
【０００１】
本考案は、ヒューズに関するもので、特に発光機能によって電力遮断を表示するヒューズ組立構造に係わる。
【背景技術】
【０００２】
電気製品もしくは回路上に幅広く使用されているヒューズは、一種の超過電流保護装置である。一般の電気製品が故障、もしくはその回路に異常が発生した場合、電流は瞬間的に上昇し、電流超過でヒューズが負荷できる極限まで電流が上がると、ヒューズ内の可溶体が溶断し、過剰な電流が電気製品内部のその他の電子部品に流れて壊れるのを防止し、電気製品を保護し、回路検査の機能を提供する。
【０００３】
また、点検作業に便利なように、ヒューズ内に発光部品を設置して壊れているかどうかを判別するものがある。「発光指示を備えた安全電力遮断端子装置」（特許文献１参照）、及び「電力遮断警告効果を備えたヒューズ装置」（特許文献２参照）等実用新案は、SMDパッケージの両極発光ダイオードを用いて、発光指示もしくは警告作用を達成する。
【先行技術文献】
【特許文献】
【０００４】
【特許文献１】台湾  実用新案公告第３０２７６９号
【特許文献２】台湾  実用新案公告第３２１５２５号
【考案の概要】
【考案が解決しようとする課題】
【０００５】
解決しようとする問題点は、発光ダイオードとヒューズ内の金属片で電気接続する場合、接触が確実でないために導電効果が悪く、製品の良品率に影響を与える点である。上述の問題を鑑み、本考案者は研究を重ね、問題を改善する本考案を考案した。
【課題を解決するための手段】
【０００６】
本考案は、筐体、ヒューズ部品、及びピンを備えた発光部品を含む。筐体は最上板、最上板の下方の納置空間、最上板の二開孔を備える。ヒューズ部品は二導電片、及びヒューズ可溶体を含み、且つ各導電片上端には導電接続部をそれぞれ設置し、各導電接続部は二開孔内にそれぞれ挿入する。最上板の下方には更に二押圧部を設置し、二押圧部は二導電接続部と相互に交錯し、各押圧部外縁と相対する各導電接続部の内縁間で間隔を形成し、且つ発光部品のピンはその間隔内で挟持することを最も主要な特徴とする。
本考案は下記の特徴を有する。
（１）最上板を備え、及び該最上板の下方に納置空間を形成し、該最上板には該納置空間に通じる二開孔を設置する筐体と、
該納置空間内に設置し、二導電片、及び該二導電片の間に連接するヒューズ可溶体を含み、且つ各該導電片上端には導電接続部をそれぞれ設置し、各該導電接続部上には凹んだ二股口を形成し、各該導電接続部は二股形状で二個の二股角を備え、各該導電接続部の二股角は該二開孔内にそれぞれ挿入するヒューズ部品と、
正、負極の二ピンを備える発光部品を含む発光機能によって電力遮断を表示するヒューズ構造において、
そのうち，該最上板の下方には更に該納置空間内まで伸びる二押圧部を凸設し、該二押圧部は該二導電接続部と互いに交錯して各該押圧部外縁と相対する各該導電接続部内内縁の間で間隔を形成し、且つ該発光部品のピンは該間隔内で挟持することを特徴とする発光機能によって電力遮断を表示するヒューズ構造。
（２）前記筐体は、透光材質であることを特徴とする（１）記載の発光機能によって電力遮断を表示するヒューズ構造。
（３）前記筐体は、最上板の中間の該発光部品に相対する箇所だけ透光材とすることを特徴とする（１）記載の発光機能によって電力遮断を表示するヒューズ構造。
（４）前記筐体は、更に二個の間隔に相対して該最上板の下方から伸びる二側面板を含み、且つその納置空間は該二側面板の間に形成することを特徴とする（１）記載の発光機能によって電力遮断を表示するヒューズ構造。
（５）前記ヒューズ部品の二導電片は、複数の定位孔を設置し、該二側面板の相対箇所には外表面位置に凹部を成形し、またその内表面には各該定位孔が伸びた凸部を成形することを特徴とする（４）記載の発光機能によって電力遮断を表示するヒューズ構造。
（６）前記筐体の該最上板の二側箇所は、下向きに第一対応部を設置し、また該ヒューズ部品の相対箇所には第二対応部を凹設し、それら第一、二対応部は相互に対応することを特徴とする（１）記載の発光機能によって電力遮断を表示するヒューズ構造。
（７）前記ヒューズ部品の二導電接続部の二股角は、最大幅が該二開孔の幅より大きいことを特徴とする（１）記載の発光機能によって電力遮断を表示するヒューズ構造。
（８）前記ヒューズ部品の二導電接続部と該発光部品の二ピンが隣り合う二股角の外縁箇所には、それぞれ凹んだ欠切口を成形することを特徴とする（１）記載の発光機能によって電力遮断を表示するヒューズ構造。
（９）前記発光部品は、発光ダイオードであることを特徴とする（１）記載の発光機能によって電力遮断を表示するヒューズ構造。
（１０）前記発光部品の二ピンは、該導電接続部内内縁と該押圧部外縁に合わせて「L」字型に変形することを特徴とする（１）記載の発光機能によって電力遮断を表示するヒューズ構造。
【考案の効果】
【０００７】
本考案の発光機能によって電力遮断を表示するヒューズ構造は、発光部品の二ピンを筐体とヒューズ部品の間にしっかりと挟持し、且つ二ピンとヒューズ部品の接触面積を増やし、良好な導電効果を達成して、良品率を高めるという利点がある。
【図面の簡単な説明】
【０００８】
【図１】本考案の立体分解図である。
【図２】本考案の別一角度の立体組立図である。
【図３】本考案の内部構造の平面分解図である。
【図４】本考案の内部構造の平面動作組立図である。
【図５】本考案の内部構造の平面組立図である。
【図６】本考案の内部構造別一角度の平面動作組立図である。
【図７】本考案の内部構造別一角度の平面組立図である。
【考案を実施するための形態】
【０００９】
組立の過程に於いて、発光部品をヒューズの筐体内に合わせて設置し、初回加工過程において発光部品とヒューズ内のヒューズ部品が良好な接触面積を備え、更に良好な導電効果を達成し、且つ良品率を高める発光機能によって電力遮断を表示するヒューズ構造を提供することを本考案の主な目的とする。
【００１０】
上述の目的を達成するため、本考案は、発光機能によって電力遮断を表示するヒューズ構造を提供し、それは筐体、ヒューズ部品、及び正、負極ピンを備えた発光部品を含む。筐体は最上板を備え、及び最上板下方には納置空間を形成する。また最上板上には納置空間に対応する二開孔を設置する。ヒューズ部品は納置空間内に設置し、二導電片、及び二導電片の間を連接するヒューズ可溶体を含む。且つ、各導電片上端にはそれぞれ導電接続部を設置し、各導電接続部上には凹んだ二股口を形成し、各導電接続部は二股形状で二個の二股角を備える。各導電接続部の二股角はそれぞれ二開孔内に挿入する。そのうち，最上板の下方には更に納置空間内まで伸び入れる二押圧部を設置し、二押圧部は、二導電接続部とそれぞれ交錯し、各押圧部外縁と相対する各導電接続部の内縁間に間隔を形成し、且つ発光部品のピンは上述の間隔内で挟持される。
【実施例】
【００１１】
本考案を更に理解するため、その特徴及び技術内容を図式と共に実施例を挙げて詳細に説明する。しかし、それは説明のために提供したものであり、本考案を制限するものではない。
【００１２】
図１及び図２は、本考案の立体分解図及び別一角度からの立体組立図である。本考案は発光機能によって電力遮断を表示するヒューズ構造を提供し、それは筐体１、ヒューズ部品２、及び発光部品３を含む。そのうち、
【００１３】
該筐体１は、絶縁材で構成され、最上板１０、及び該最上板１０下方から間隔を開けて伸びる二側面板１１を含み、且つ二側面板１１の間には納置空間１２を形成する。また、筐体１の最上板１０上には直線に排列した二開孔１００が穿設され、二開孔１００は納置空間１２に通じ、そこに上述ヒューズ部品２を挿入する。この他、該筐体１は更に透光材質でもよく、また、もしくは最上板１０中間の上述発光部品３箇所に対応する箇所だけを透光材質にしてもよい。
【００１４】
該ヒューズ部品２は、導電材で構成され、二導電片２０、及び二導電片２０の間に連接するヒューズ可溶体２１を含み、各導電片２０上端はそれぞれ導電接続部２２を凸設する。導電接続部２２端縁上には凹んだ二股口２２０を形成し、導電接続部２２端縁が二股形状に形成されて二個の二股角２２１を備え、二導電接続部２２の二股角２２１はそれぞれ上述の筐体１の最上板１０の二開孔１００内に挿入される。
【００１５】
該発光部品３は、発光ダイオードであり、光源部３０、及び該光源部３０からそれぞれ伸びた正、負極のピン３１を含み、且つ光源部３０は筐体１の最上板１０中間下方箇所に相対し、二ピン３１は筐体１とヒューズ部品２の間に挟まれる。本考案は主に発光部品３が上述の筐体１、ヒューズ部品２と相互に接続する時、ヒューズ部品２によって発光部品３を筐体１の納置空間１２内に押入れ、初回加工過程に於いて発光部品３の二ピン３１を筐体１とヒューズ部品２の間にしっかりと挟持し、且つ二ピン３１とヒューズ部品２の接触面積を増やし、良好な導電効果を達成して、良品率を高める。
【００１６】
図３に示すとおり、上述の筐体１は、最上板１０下方に納置空間１２内まで伸びる二押圧部１３を凸設する。二押圧部１３は二導電接続部２２と交錯し、押圧部１３の外縁１３０と導電接続部２２の内縁２２２の間に間隔を生み出し、その間隔は発光部品３のピン３１の厚みと同じである。図４に示すとおり、ヒューズ部品２を上述の筐体１の納置空間１２に挿入すると、二導電接続部２２によって、発光部品３の二ピン３１を導電接続部２２の内縁２２２と押圧部１３の外縁１３０に合わせて変形させ、筐体１とヒューズ部品２の間に挟持される。また、本考案で挙げた実施例において、二ピン３１は導電接続部２２の内縁２２２と押圧部１３の外縁１３０によって「L」字型に変形し、更に図５に示すとおり、二導電接続部２２の二股角２２１が最上板１０の二開孔１００内にそれぞれ挿入されると、二股口２２０が開き、二股角２２１が最大幅で開孔１００幅まで広がり、ヒューズ部品２を筐体１の納置空間１２内にしっかりと固定し、発光部品３二ピン３１とヒューズ部品２の接触を確保して良好な導電効果を備える。
【００１７】
特に、二導電接続部２２の発光部品３二ピン３１各々と隣り合う二股角２２１外縁は、更に凹んだ欠切口２２３を成形し、該欠切口２２３はヒューズ部品２が筐体１との間で緩んだ時、開孔１００辺縁上に掛合され、脱落を防止する。また、筐体１は最上板１０二側箇所に第一対応部１０１を下向きに凸設し、ヒューズ部品２の相対箇所には第二対応部２０１を設置し、第一、二対応部１０１、２０１を合わせることによって、筐体１とヒューズ部品２を緩みにくくする。
【００１８】
最後に図６及び図７に示すとおり、上述のヒューズ部品２の二導電片２０上には複数の定位孔２００を設置してもよく、筐体１の二側面板１１の相対箇所を凹ませることによって二側面板１１相対箇所の外表面に凹部１１０を成形し、またその内表面には定位孔２００を入れる凸部１１１を成形し、筐体１とヒューズ部品２の組立を更に強固にする。
【００１９】
上述の構造によって、本考案の発光機能によって電力遮断を表示するヒューズ構造が構成される。
【００２０】
上述のとおり、本考案は、希少の実用新案品であり、予定の使用目的を達成し、公知の欠点を解決し、また新規性進歩性を備え、実用新案申請の要件に符合している。
【００２１】
但し、上述の本考案は実施可能な実施例であり、本考案の請求範囲を制限するものではない。故に、本考案説明書及び図式内容に依る同効果の構造変化はすべて本考案の範囲内とする。
【符号の説明】
【００２２】
１        筐体
１０        最上板
１００        開孔
１０１        第一対応部
１１        側面板
１１０        凹部
１１１        凸部
１２        納置空間
１３        押圧部
１３０        外縁
２        ヒューズ部品
２０        導電片
２００        定位孔
２０１        第二対応部
２１        ヒューズ可溶体
２２        導電接続部
２２０        二股口
２２１        二股角
２２２        内縁
２２３        欠切口
３        発光部品
３０        光源部
３１        ピン
【図１】
0003164184.tif 000003
【図２】
0003164184.tif 000004
【図３】
0003164184.tif 000005
【図４】
0003164184.tif 000006
【図５】
0003164184.tif 000007
【図６】
0003164184.tif 000008
【図７】
0003164184.tif 000009